(57)【要約】      （修正有）【課題】貯水タンクへ大量の進水があっても貯水が直接的に貯水タンクから外に溢してしまうことのないトイレ貯水タンク防漏装置を提供する。【解決手段】フロートカップ１１０の底部を密封するように構成し、給水された水が給水弁１０Ａの貫通孔１４から貯水タンク１Ａに流れ込んで、高くなった水位がフロートカップ１１０を越えると、水がフロートカップ１１０にオーバーフローする。フロートカップ１１０にオーバーフローされた水がフロートカップ１１０に内設されたフロートブロック１０を予定の位置に浮き上げると、給水元からの給水を遮水するようになる。水漏れが原因で貯水タンク１Ａの貯水の水位が下がった時、フロートカップ１１０の底部が密封されているため、フロートカップ１１０には水漏れがせずに貯水の水位も下がらない。それにより、フロートブロック１０を予定の位置に保持することができる。【選択図】図６
2018188953.tif 000002
【特許請求の範囲】
【請求項１】
上向き開口する容器であり、底部に底部を貫通する貯水タンク孔が設けられる貯水タンクと、
一端が前記貯水タンク孔に螺設され、給水元と連通して前記貯水タンクに給水するための貫通孔が設けられ，外周部に管周面が軸方向に沿って延伸するように管状に形成される単一給水弁体が備えられる単一給水給水弁と、
上向き開口して底部が密封される容器であり、前記貯水タンクに内設されて、管内孔である菅孔が前記単一給水弁体の前記管周面の予定位置を囲むように設けられる管部が延設されるフロートカップと、
前記フロートカップ内に内設されるフローターであり、給水元からの給水の遮水をするように、前記フロートカップにおける貯水の水位により予定の位置に浮き上げられるフロートブロックと、
前記貯水タンク内に設けられ、前記貯水タンクの底部に貫通するように設けられるタンク孔にその外縁の固定端が係止されており、前記貯水タンク内の貯水を排出するためのドレン排水口が縁設され、サイフォン外管が一側に沿って設けられ、少なくとも１つのジョイントパイプが前記サイフォン外管内から前記サイフォン外管の端部の密封面であるサイフォン外管端面に伸び出して前記フロートカップと連接するように設けられる密閉型ドレンと、を備えて、
前記貫通孔により前記貯水タンクに給水された水の水位が前記フロートカップを超えると、前記フロートブロックを浮き上げるように水が前記フロートカップに流れ込んで、
水漏れにより前記貯水タンクの貯水の水位が下降する場合、前記フロートカップにおける貯水の水位は前記フロートブロックを所定の位置に位置するように保持されており、
前記ドレン排水口により排水をする場合、排水によるサイホン作用によりフロートカップの貯水を少なくとも１つのジョイントパイプから排水するようになることを特徴とする、トイレ貯水タンク防漏装置。
【請求項２】
上向き開口する容器であり、底部に底部を貫通する貯水タンク孔が設けられる貯水タンクと、
一端が前記貯水タンク孔に螺設され、給水元と連通して前記貯水タンクに給水するための貫通孔が備えられており、管周面が軸方向に沿って延伸するように管状に形成されると共に直径方向に給水元と連通する給水管が設けられる二重給水弁体が、外周部に備えられる、二重給水給水弁と、
前記給水管と連通して前記給水管からの給水を運送する、送水管と、
上向き開口して底部が密封される容器であり、前記貯水タンクに内設されて、管内孔である菅孔が前記二重給水弁体の前記管周面の予定位置を囲むように設けられる管部が延設される、フロートカップと、
前記フロートカップ内に内設されるフローターであり、給水元からの給水の遮水をするように、前記フロートカップにおける貯水の水位により予定の位置に浮き上げられる、フロートブロックと、
前記貯水タンク内に設けられ、前記貯水タンクの底部に貫通するように設けられるタンク孔にその外縁の固定端が係止されており、前記貯水タンク内の貯水を排出するためのドレン排水口が縁設され、サイフォン外管が一側に沿って設けられ、少なくとも１つのジョイントパイプが前記サイフォン外管内から前記サイフォン外管の端部の密封面であるサイフォン外管端面に伸び出して前記フロートカップと連接するように設けられる密閉型ドレンと、を備えて、
前記貫通孔により前記貯水タンクに給水された水の水位が前記フロートカップを越えると、前記フロートブロックを浮き上げるように水が前記フロートカップに流れ込んで、
水漏れにより前記貯水タンクの貯水の水位が下降する場合、前記フロートカップにおける貯水の水位は前記フロートブロックを所定の位置に位置するように保持されており、
水漏れにより前記貯水タンクの貯水の水位が前記フロートカップを越えられない場合、前記送水管を介して前記フロートブロックを浮き上げるように前記フロートカップに給水し、
前記ドレン排水口により排水をする場合、排水によるサイホン作用によりフロートカップの貯水を少なくとも１つのジョイントパイプから排水するようになることを特徴とする、トイレ貯水タンク防漏装置。
【請求項３】
前記フロートカップが前記送水管からの給水を直接に受けて貯めるようになることを特徴とする、請求項２に記載するトイレ貯水タンク防漏装置。
【請求項４】
前記フロートカップが前記送水管からの給水を間接に受けて貯めるようになり、
前記フロートカップの上方に、前記フロートカップと連通するように容器であるサブタンクがさらに設けられ、
前記サブタンクに、前記サブタンクにおける貯水を前記フロートカップに送水するための接続管が設けられ、
前記サブタンクの底部にピストン孔が設けられ、ピストン孔と対応するようにピストンのピストンポールが穿設され、前記ピストンポールがピストン孔に自由にシャトルするようにピストン孔よりも小さく形成され、前記ピストンポールの一端に、前記ピストンを開閉するように前記ピストン孔よりも大きく形成されるピストン面が形成され、
前記送水管からの給水が前記サブタンクに供給され、前記接続管により前記フロートカップに流れ込むようになり、
前記接続管から前記フロートカップに流れ込んだ水が前記フロートブロックを所定の位置に浮き上げると、前記フロートブロックが前記ピストンを前記ピストン孔を塞ぐ位置からトップオープンするように上げることにより、前記サブタンクの貯水を前記フロートカップに排水することになることを特徴とする、請求項２に記載するトイレ貯水タンク防漏装置。
【請求項５】
前記サブタンクに設けられる接続管は一直管であり、前記サブタンクをピストン孔直管サブタンクに構成し、前記ピストン孔直管サブタンクに給水される水の水位が前記直管口よりも高くなると、前記ピストン孔直管サブタンク内の貯水は前記直管によりフロートカップに流れ込むようになることを特徴とする、請求項４に記載するトイレ貯水タンク防漏装置。
【請求項６】
前記サブタンクに設けられる接続管はサイフォン曲管であり、前記サブタンクをピストン孔サイフォン管サブタンクに構成し、前記ピストン孔サイフォン管サブタンクに給水された水の水位が前記ピストン孔サイフォン管サブタンクにおけるサイフォン曲管の湾曲トップよりも高くなると、前記ピストン孔サイフォン管サブタンクの貯水はサイホン作用によりサイフォン曲管を介して前記フロートカップに流れ込むようになることを特徴とする、請求項４に記載するトイレ貯水タンク防漏装置。
【請求項７】
前記フロートカップが前記送水管からの給水を間接に受けて貯めるようになり、
前記フロートカップの上方に、前記フロートカップと連通するように容器であるピストン孔なしのサブタンクがさらに設けられ、
前記ピストン孔なしのサブタンクに、前記ピストン孔なしのサブタンクにおける貯水を前記フロートカップに送水するための接続管が設けられ、
前記送水管からの給水が前記ピストン孔なしのサブタンクに供給され、前記接続管により前記フロートカップに流れ込むようになり、
前記ピストン孔なしのサブタンクに設けられる接続管はサイフォン曲管であり、前記ピストン孔サイフォン管サブタンクに給水された水の水位が前記ピストン孔サイフォン管サブタンクにおけるサイフォン曲管の湾曲トップよりも高くなると、前記ピストン孔なしのサブタンクの貯水はサイホン作用によりサイフォン曲管を介して前記フロートカップに流れ込むようになることを特徴とする、請求項２に記載するトイレ貯水タンク防漏装置。
【請求項８】
前記サイフォン外管の前記サイフォン外管端面に抜き孔が設けられ、前記抜き孔と対応する等にフローティングプラグに設けられる複数のリブが前記抜き孔に穿設されており、前記リブの頂端に前記抜き孔よりも多く形成されるフローティングプラグ面が形成され、前記フローティングプラグ面が前記リブの摺動部と隣接され、前記リブの摺動部の末端に保持フックが設けられ、前記リブの摺動部により前記抜き孔に摺動自由に設けられると共に前記フローティングプラグ面、及び前記リブと抜き孔との間に形成される隙間により、抜き孔を開閉することになり、
また、前記フローティングプラグ面はフローティングプラグに設けられる水封面であり、かつ、前記フローティングプラグは浮力により浮き上がるフローターであり、貯水タンクに給水された水の水位が前記抜き孔よりも高くなると、前記フローティングプラグが浮き上げられて前記抜き孔を開けるようにする、ことを特徴とする請求項１ないし７のいずれか１項に記載するトイレ貯水タンク防漏装置。
【請求項９】
前記サイフォン外管の前記サイフォン外管端面に抜き孔であるドレン貫通孔が設けられ、前記ドレン貫通孔の上端にフロートカバーが設けられ、
前記フロートカバーはフローターであり、前記サイフォン外管端面に設けられる枢着ピンと枢着するように枢着端が設けられ、
前記フロートカバーにフロートカバー面が設けられ、前記フロートカバー面を枢設構成と合わせることにより、可動的に前記ドレン貫通孔を開閉するようになり、
また、前記フロートカバー面は前記フロートカバーに設けられる水封面であり、前記貯水タンク内の貯水の水位が前記ドレン貫通孔よりも高くなると、ドレン貫通孔は前記フロートカバーの浮上により開けられるようになる、ことを特徴とする請求項１ないし７のいずれか１項に記載するトイレ貯水タンク防漏装置。
【発明の詳細な説明】
【技術分野】
【０００１】
本発明はトイレ貯水タンク防漏装置に関し、特にバスルーム用トイレ貯水タンク防漏装置に関する。
【背景技術】
【０００２】
図１１Ａ及び図１１Ｂを参照する。図１１Ａ及び図１１Ｂは従来の単一給水の給水弁９Ａの開状態及び第２の昇降機構１０Ｃを示し、図１２は従来の単一給水の給水弁９Ａの閉状態及び第２の昇降機構１０Ｃを示す。給水弁９Ａに設けられる貫通孔１４により水が給水元から貯水タンク１Ａに供給された後、水位が上昇してフロートカップ１１０ａに超えることにより水がフロートカップ１１０ａに流れ込まれることになる。フロートカップの底面１１２ａに底部孔１１３ａが設けられ、該底部孔１１３ａにピストン１１１０の摺動柱１１１１が摺動可能に設けられる。前記ピストン１１１０は直径が底部孔１１３ａの直径よりも大きく形成されるピストン円盤１１１２、及び該ピストン円盤１１１２の盤面１１１３から延設され末端に留め金が設けられ互いに対応する少なくとも２つ摺動柱１１１１により構成されている。貯水タンク１Ａに給水された水の水量がピストンの盤面１１１３が底部孔１１３ａをシートするようにピストンの円盤１１１２を浮き上げるまでの量に至った場合、貯水タンク１Ａにおける水の水位がフロートカップ１１０ａに超えて水がフロートカップ１１０ａに流れ込むように給水を続ける。フロートカップ１１０ａにおいて、水位の高めることによりフロートブロック１０を浮き上げて、そして、給水元を遮水するようにフロートブロック１０を予定の位置に浮き上げる。前記貯水タンク１Ａから排水するとき、ピストン円盤１１１２の盤面１１１３は貯水タンク１Ａにおける水の水位の下降によりフロートカップ底部孔１１３ａを開けるようにフロートカップの底面から離れて、フロートカップ１１０ａの貯水が底部孔１１３ａから流れ出すことによりフロートカップ１１０ａにおける水の水位を下降させると共に、それと連動するように、フロートブロック１０を下へ動かせて、給水元からの給水を再開する。前記フロートカップ１１０ａ内に内設されるフロートブロック１０が浮力により浮上がるとき、第２の昇降機構１０Ｃとポール６との連動により、単一給水の給水弁９Ａと協働して単一給水の給水弁９Ａ内に組み込んだパッキン４の変形端を給水路３の給水口３３からの給水を遮水するように拡張する。貯水タンク１Ａにおける水の水位が排水により下降されるとフロートカップ１１０ａ内の貯水がすべて排出されることに従ってフロートブロック１０が下へ動いていく。それにより、パッキン４の変形端が回復され、給水路３の給水口３３からの給水が再開されることになる。上記の従来の図面に示す構成は例として挙げられるものに過ぎない。また、貯水タンク１Ａにおける水の水位が上昇してフロートカップ１１０ａに超えてフロートカップ１１０ａに流れ込まれてフロートカップ１１０ａ内のフロートブロック１０を浮き上げて、そして、第２の昇降機構１０Ｃを利用して単一給水の給水弁９Ａと協働して単一給水の給水弁９Ａに組み込んだパッキン４の変形端を給水路３の給水口３３からの給水を遮水するように拡張することと、貯水タンク１Ａを排水するときにフロートカップ１１０ａの貯水を排水して、フロートカップ１１０ａ内に内設されたフロートブロック１０を下へ動かせると共に第２の昇降機構１０Ｃを利用して単一給水の給水弁９Ａと協働して単一給水の給水弁９Ａに組み込んだパッキン４の変形端を給水路３の給水口３３からの給水を再開するように回復させることと、は何れも従来の技術における通則である。貯水タンク１Ａの水漏れ量が貫通孔１４からの給水量よりも多くなると、貯水タンク１Ａにおける水の水位はピストン円盤１１１２をピストンの上面１１１３がフロートカップの底部孔１１３ａをシールするように浮き上げることができなくなり、その結果として、貯水タンク１Ａにおける水の水位がフロートカップ１１０ａに超えることができず水漏れが続けることになる。一方、貯水タンク１Ａの水漏れ量が貫通孔１４からの給水量よりも少なくなると、貯水タンク１Ａにおける水の水位はフロートカップ１１０ａに超えて実的に給水を遮水するようにフロートブロック１０を予定の位置に浮き上げることができる。しかしながら、貯水タンク１Ａの水漏れが続けるとフロートカップ１１０ａに供給された給水量が安定していないため、ピストンの上面１１１３によりも確実にフロートカップの底部孔１１３ａをシールすることができずレバーが効果的にポール６と連通することができなくなり、結果として、単一給水の給水弁９Ａ内のパッキン４の変形端を給水路３の給水口３３からの給水を確実に遮水するように拡張することが果たせない。
【発明の概要】
【発明が解決しようとする課題】
【０００３】
本発明は貯水タンクに水漏れが起こった場合について改善対策を提供する。トイレの貯水タンク内に位置されるフロートカップの底部を完全に密封するように構成させ、給水弁のジャケット管に組み込んだ貫通孔（本発明において給水弁の貫通孔と称する場合もある）からの給水が貯水タンクに供給され、貯水タンクにおける貯水の水位がフロートカップに超えてフロートカップに流れ込まれるとき、フロートカップ内に内設されるフロートブロックが浮力により予定の位置に浮き上げられて給水元からの給水を遮水するようにする。一方、水漏れにより貯水タンクにおける貯水の水位が下降する場合、フロートカップの底部が完全に密封されているため、フロートカップからの水漏れがなく、フロートカップにおける貯水の水位が貯水タンクの水漏れによる貯水タンクの貯水水位の下降に伴って下降することもないため、フロートブロックを予定の位置に保持することができる。
【課題を解決するための手段】
【０００４】
本発明には二重給水の給水弁が設けられ、給水は給水弁の貫通孔により供給する以外、もう１つ給水管からフロートカップに供給する経路を提供する。それは給水管から送水管を通じてフロートカップの上方に設けられるサブタンクに給水してから、サブタンク内に設けられる接続管により水をフロートカップに運送する。上記の二重給水の給水弁は他の給水管からフロートカップに給水するための経路を提供する。それは給水管から送水管を通じてフロートカップに直接給水するものである。貯水タンクにおける貯水の水位がまだフロートカップに流れ込まれる高さに至ってないとき、すなわち、水漏れが生じたとき、サブタンクの貯水がフロートカップに注入したり、または給水管から直接にフロートカップに給水することによりフロートブロックを浮き上げることができる。フロートブロックが浮き上げられるとき、フロートブロックに螺設されるアームも上に押されて、アームにおけるスリーブリングがレバーの末端に係止されているため、レバーの末端も共に高まれてから、支点として設けられる枢着ピンの前端に位置される当接面によりポールの当接端は低く押さえられる。そうすると、ポールが閉工程に移動されていく。即ち、ポールの前段部がパッキンにおける内環部の抜き孔を塞ぐことができるように移動されると、パッキンにおける内環部又は中環部の少なくとの１つの箇所が給水路の給水口を塞ぐようにパッキンの変形端が拡張されていく。つまり、フロートブロックが浮上がれたときに給水元からの給水を遮水することができ、それに対して、フロートブロックが下がったときにパッキンが回復され給水元からの給水を再開することができる。ポールの位置移動により、パッキンの変形端を拡張または回復させ、それにより給水路の給水口からの給水を供給または遮水するように制御する。上記は本発明における１つの実施形態に過ぎず、フロートカップがフロートブロックに内設され、フロートカップに給水することにより生じた浮力でフロートブロックを浮き上げて、フロートブロックがレバーの連動によりパッキンに影響を与えて給水路の給水口を塞ぐ構成であれば、フロートブロックが浮上がると給水元からの給水を遮水し、フロートブロックが下がると給水元からの給水を始める通則に合わせる。
【０００５】
本発明のトイレ貯水タンク防漏装置には、さらにサイフォン式ドレンが設けられる。前記ドレンの外縁部にタンク孔に係止する固定端が有さえて、前記ドレンの外縁部にドレン排水口が設けられる。該ドレン排水口は前記ドレンの側縁に沿って設けられるサイフォン外管と連通されると共に、サイフォン外管内から密封されたサイフォン外管端面を挿通するジョイントパイプにより前記フロートカップ又は前記サブタンクと連通されている。ドレン排水口が排水する場合に起こったサイホン作用によりフロートカップ又はサブタンクの貯水を排水するようになる。
【０００６】
本発明により、システムのエラーにより起こった貯水タンクに大量な進水が原因で貯水が直接的に貯水タンクから外に溢してしまうことに対応することができる。詳しく言えば、サイフォン外管のサイフォン外管端面にフロートカバーがさらに設けられる。該フロートカバーはフローターにサイフォン外管端面に設けられる枢着ピンと枢着するための枢着端が設けられるものである。上記フロートカバーに備えられるフロートカバー面によりドレン貫通孔を自由的に閉じることができる。中でも、ドレン貫通孔は前記サイフォン外管端面に設けられた抜き孔であり、フロートカバー面はフロートカバーに設けられた一水封面である。前記貯水タンク内の貯水の水位が前記ドレン貫通孔よりも高い場合、前記ドレン貫通孔はフロートカバーの浮き上がることにより開けられて、大量の貯水がドレン貫通孔により貯水タンク外に排水するようになる。
【図面の簡単な説明】
【０００７】
【図１】本発明における単一給水給水弁の開状態及び第１の昇降機構を示す断面図である。
【図２】本発明における単一給水給水弁の閉状態及び第１の昇降機構を示す断面図である。
【図３】本発明における二重給水給水弁の開状態及び第１の昇降機構を示す断面図である。
【図４】本発明における二重給水給水弁の閉状態及び第１の昇降機構を示す断面図である。
【図５】本発明におけるピストン孔及び直管付きのサブタンクの動作を示す模式図である。
【図６】本発明におけるピストン孔及びサイフォン管付きのサブタンクの動作を示す模式図である。
【図７】本発明における直接給水タイプのフロートカップの動作を示す模式図である。
【図８Ａ】本発明における密封ドレンを示す断面図である。
【図８Ｂ】本発明におけるフローティングプラグドレンを示す断面図である。
【図８Ｃ】本発明におけるフロートカバー付きのドレンを示す断面図である。
【図９】本発明における第１の実施形態を示す立体図である。
【図１０】本発明における第２の実施形態を示す立体図である。
【図１１Ａ】従来の単一給水の給水弁の開状態及び第２の昇降機構を示す断面図である。
【図１１Ｂ】図１１ＡにおけるＩＢの部分を示す部分拡大図である。
【図１２】従来の単一給水給水弁の閉状態及び第２の昇降機構を示す断面図である。
【発明を実施するための形態】
【０００８】
図１及び図２を参照する。図１は本発明における単一給水給水弁９Ａの開状態及び第１の昇降機構１０Ｂを示す。図２は本発明における単一給水給水弁９Ａの閉状態及び第１の昇降機構１０Ｂを示す。該単一給水給水弁９Ａにはジャケット管（１）、及び該単一給水給水弁９Ａの一端に設けられるベース管（１１）が備えられる。該ベース管（１１）の外環面には貯水タンク孔（１Ｂ）に係着するための外部アームが設けられる。前記ベース管（１１）の内部孔の一端が給水元に連接され、他端からは外管（１３）により周りを囲むように形成された内管（１２）が設けられる。また、内管（１２）と外管（１３）との間に間隔が設けられ、外管（１３）に貯水タンク（１Ａ）と連通する貫通孔（１４）が設けられる。前記外管（１３）の上端にウォーターブロック（２）が設けられる。ウォーターブロック（２）は、該外管（１３）の頂端から始まるように軸方向に軸方向貫通孔（２１）が設けられる。給水路（３）は盤部（３１）と管部（３２）により組み合わせて構成されるものである。該管部（３２）が軸方向貫通孔（２１）に挿通されると共に内管（１２）と連通するように内管（１２）内に挿設されて、そして、該管部（３２）の給水口（３３）と連通するように前記盤部（３１）の盤面から露出する。前記盤面に盤部（３１）を貫通する溝孔（３４）が設けられる。パッキン（４）は、中環部（４１）と、第１の変形端（４２）により前記中環部と連接される内環部（４３）と、第２の変形端（４４）により前記前記中環部と連接される外環部（４５）を備える。そして、内環部（４３）に前記外管（１３）の頂端から軸方向に設けられる軸方向抜き孔（４７）と連通するように直径方向に通し孔（４６）が設けられる。弁カバー（５）は、その上面枢着端（５１）が設けられ、その外縁部に突縁部（５２）が設けられ、その内縁部に外環部（４５）と嵌合されるリング溝（５３）が設けられている。リング溝（５３）が前記弁カバー（５）の中心位置に延設される通気溝孔（５４）を有する環（５５）の周りを囲むように形成される。中でも、通気溝孔（５４）は環（５５）に設けられるクロスグルーブであり、環（５５）内に内環部（４３）が内設される環状孔（５６）が設けられる。環（５５）とリング溝（５３）との間にある間隔は空気室（５７）であり、該空気室（５７）は通気溝孔（５４）により環状孔（５６）と連通することができる。また、該環状孔（５６）は弁カバー（５）の上面を貫通する空気接続口（５８）と連通されている。ポール（６）には、その頂端部に設けられるポール頭部と、前記ポール頭部と隣接されるポール前端部（６２）、ポール中央部である凹槽部（６３）と、そのポール後端部（６４）に設けられる凹溝ベントが備えられる。また、前記ポール（６）は弁カバー（５）の空気接続口（５８）からパッキン（４）の抜き孔（４７）の挿設されている。単一給水弁体（７ａ）は軸方向に管周面（７１ａ）が伸びて形成されている管であるそして管に。前記単一給水弁体（７ａ）の管内孔（７２ａ）の開け口端に係止溝（７３ａ）が設けられている。単一給水弁体（７ａ）の底端に位置される管内孔（７２ａ）にジャケット管（１）の外管（１３）部分が挿設されている。開け口端の管内孔（７２ａ）にウォーターブロック（２）、給水路（３）、パッキン（４）をそれぞれ配置する。そして、管内孔（７２ａ）の係止溝（７３ａ）に係止するように弁カバー（５）の突縁部（５２）を設ける。前記ポール（６）が一行程を移動すると単一給水の給水弁９Ａが開けられる。すなわち、ポール（６）の凹槽部（６３）が抜き孔（４７）の出口端に移動されたとき、供給された水はポール（６）のポール後端部（６４）の凹溝ベントから抜き孔（４７）を通過して弁カバー（５）の上面にある空気接続口（５８）を介して貯水タンク（１Ａ）に流れて、パッキン（４）の変形端が弛まれた状態を保持して給水口（３３）を開ける。給水元と連通する給水口（３３）により、供給された水を溝孔（３４）から貫通孔（１４）を介して貯水タンク（１Ａ）に注入することができる。そして、ポール（６）が一行程を移動すると単一給水の給水弁９Ａが閉じる。すなわち、ポール（６）ポール前端部（６２）がパッキン（４）により貫通する抜き孔（４７）を塞ぐことができるように移動されたとき、供給された水はポール（６）のポール後端部（６４）の凹溝ベントから通し孔（４６）を通過して通気溝孔（５４）に至ってから空気室（５７）まで流れる。供給された水によりパッキン（４）の変形端は水圧で拡張されて、その結果として、内環部（４３）又は中環部（４１）の少なくとも１つの箇所により給水口（３３）を塞ぐことができる。
【０００９】
図１及び図２を再び参照する。図１は本発明における単一給水の給水弁９Ａ開状態及び第１の昇降機構１０Ｂを示す。図２は本発明における単一給水の給水弁９Ａの閉状態及び第１の昇降機構１０Ｂを示す。中でも、第１の昇降機構（１０Ｂ）はレバー（８）、アーム（９）、フロートブロック（１０）及びフロートカップ（１１０）を備える。前記レバー（８）に支点として設けられる枢着ピン（８１）が弁カバー（５）の枢着端（５１）と枢着されている。そして、枢着ピン（８１）の前端部は作用点となるヘッド端であり、当接面（８２）が設けられている。当接面（８２）がポール（６）の当接端（６５）と当接される。枢着ピン（８１）の後端の延伸端の末端に力点としてスリーブ孔（８３）が設けられている。前記アーム（９）は、そのヘッド端下の周面にレバー（８）のスリーブ孔（８３）と係合されるスリーブリング（９１）が設けられている。スリーブリング（９１）下に外部アーム（９２）が設けられている。前記フロートブロック（１０）はフローターであり、前記フロートブロック（１０）に外部アーム（９２）に螺設される内部アーム（１０１）が設けられている。前記フロートカップ（１１０）はフロートブロック（１０）を内設する上向き開口する容器であり、フロートカップ（１１０）の側縁部に管口（１１１）が単一給水弁体（７ａ）の管周面（７１ａ）の予定位置を囲むように取り付けられる管部が縁設されている（フロートカップ１１０を固定するように強固に取り付けられてもよい）。フロートカップ（１１０）の貯水が排出されてその水位を下降させたとき、フロートブロック（１０）もそれに従い沈んでいく。それと連動してフロートブロック（１０）に螺設されたアーム（９）が押し下げられており、そして、アーム（９）におけるスリーブリング（９１）がレバー（８）の末端のスリーブ孔（８３）に係止されているため、レバーの末端も共に低く押されると共に、枢着ピン（８１）の前端の当接面（８２）がポール（６）の当接端（６５）を高く引き上げて、結果として、ポール（６）の凹槽部（６３）が抜き孔（４７）の出口端に移動され、ポール（６）を開け工程に移動させることができる。即ち、凹槽部（６３）が抜き孔（４７）の出口端に移動されたとき、その段差が隙間を形成してパッキン（４）の変形端を弛んで給水口（３３）を開けるように圧力を解放する。つまり、フロートブロック（１０）が下方へ沈んだとき給水元からの給水を開けることができる。一方、フロートカップ（１１０）の貯水の水位が高くなる場合、フロートブロック（１０）も伴い浮き上っていく。それと連動して、フロートブロック（１０）に螺設されたアーム（９）が上方へ押されることになり、そして、アーム（９）におけるスリーブリング（９１）がレバー（８）の末端におけるスリーブ孔（８３）に係止されているため、レバー（８）の末端も共に高く引き上げられると共に、枢着ピン（８１）の前端の当接面（８２）がポール（６）の当接端（６５）を低く押し下げて、ポール（６）が閉工程に移動させることができる。つまり、ポール（６）のポール前端部（６２）がパッキン（４）の内環部（４３）の抜き孔（４７）を塞ぐことができる場合、給水口（３３）のから供給された水はポール（６）のポール後端部（６４）の凹溝ベントを介して通し孔（４６）に入って、空気室（５７）に流れ込んで、空気室（５７）に続いて流れ込んだ給水はパッキン（４）の変形端を加圧してそれを内環部（４３）又は中環部（４１）における少なくとも１つの箇所により給水路（３）の給水口（３３）を塞ぐことができるように拡張させる。即ち、フロートブロック（１０）が浮き上がると給水元からの給水を遮水することができる。上述は本発明における単一給水給水弁（９Ａ）及び第１の昇降機構（１０Ｂ）であるが、それは１つの実施形態に過ぎなく、本発明において、広く使用される給水弁及び昇降機構の通則を定義している。つまり、フロートブロック（１０）が浮き上がったときレバー（８）と連動してパッキン（４）の変形端が給水口（３３）を遮水することができる。また、フロートブロック（１０）が沈んだときレバー（８）と連動してパッキン（４）の変形端が給水口（３３）の給水を再開するように回復させることができる。
【００１０】
図３及び図４を参照する。図３は本発明における二重給水給水弁１０Ａの開状態及び第１の昇降機構１０Ｂを示す。図４は本発明における二重給水給水弁１０Ａの閉状態及び第１の昇降機構１０Ｂを示す。前記二重給水給水弁１０Ａはジャケット管（１）、内管（１２）、及び外管（１３）を備える。前記ジャケット管（１）は、その一端にベース管（１１）が設けられ、その外環面に貯水タンク孔（１Ｂ）に係止する外部アームが設けられる。前記ベース管（１１）の内孔の一端が給水元に連接されて、他端に内管（１２）が延設されると共に内管（１２）のまわりを囲むように設けられる外管（１３）が設けられる。かつ、内管（１２）と外管（１３）との間に間隔が開けられており、外管（１３）に貯水タンク（１Ａ）と連通する貫通孔（１４）が設けられる。外管（１３）の上端にウォーターブロック（２）が設けられ、ウォーターブロック（２）には、軸方向貫通孔（２１）が外管（１３）の頂端から軸方向に設けられると共に、直径方向に軸方向貫通孔（２１）が設けられる分水孔（２２）。給水路（３）は盤部（３１）と管部（３２）とを組み合わせて構成されるものである。前記管部（３２）は軸方向貫通孔（２１）を挿通して前記内管（１２）内に内管（１２）と連通するように挿設されており、かつ、前記管部（３２）の給水口（３３）が盤部（３１）の盤面から露出される。盤部（３１）の盤面に盤部（３１）を貫通する溝孔（３４）が設けられる。パッキン（４）は、中環部（４１）と、第１の変形端（４２）により前記中環部（４１）と連接される内環部（４３）と、第２の変形端（４４）により前記中環部（４１）と連接される外環部（４５）とを備える。かつ、前記内環部（４３）に、その頂面から軸方向に設けられる軸方向抜き孔（４７）と連通する通し孔（４６）が直径方向に設けられる。弁カバー（５）は、その上面に枢着端（５１）が設けられ、その外縁部に突縁部（５２）が設けられ、その内縁部にリング溝（５３）が外環部（４５）と係合するように設けられている。また、リング溝（５３）が前記弁カバー（５）の中心位置に延設された通気溝孔（５４）付きの環（５５）のまわりを囲っている。中でも、通気溝孔（５４）は環（５５）に設けられるクロスグルーブであり、かつ、環（５５）内に内環部（４３）を内設する環状孔（５６）が設けられている。環（５５）とリング溝（５３）との間の間隔は空気室（５７）であり、それは通気溝孔（５４）により環状孔（５６）と連通することができる。また、該環状孔（５６）は弁カバー（５）の頂面にある空気接続口（５８）と連通している。ポール（６）は、その頂端にあるポール頭部（６１）と、ポール前端部（６２）と、ポール中央部である凹槽部（６３）と、凹溝ベントが設けられるポール後端部（６４）とを備える。前記ポール（６）は弁カバー（５）の空気接続口（５８）からパッキン（４）の抜き孔（４７）に挿入されるように設けられている。二重給水の弁体（７）は軸方向に管周面（７１）が延伸している管であり、その管内孔（７２）の開け口端に係止溝（７３）が設けられ、係止溝（７３）の下に位置される管内孔（７２）に、管内孔（７２）と連通する給水管（７４）が直径方向に設けられる。二重給水の弁体（７）の底端にある管内孔（７２）にジャケット管（１）の外管（１３）の一部が挿設されており、開け口端の管内孔（７２）にウォーターブロック（２）、給水路（３）、パッキン（４）をそれぞれ配置すると共に係止溝（７３）を弁カバー（５）の突縁部（５２）に係止させる。ポール（６）が一行程に移動したときに二重給水の給水弁１０Ａを開ける。すなわち、ポール（６）の凹槽部（６３）が抜き孔（４７）の開け口端に移動したとき、給水された水はポール（６）のポール後端部（６４）の凹溝ベントから抜き孔（４７）を通過して弁カバー（５）の上面にある空気接続口（５８）を介して貯水タンク（１Ａ）に供給され、それによりパッキン（４）変形端が弛まれて給水口（３３）が開けられることになる。給水元と連通する給水口（３３）から給水された水が溝孔（３４）を通過して給水管（７４）から流れ出し、又は貫通孔（１４）を通過して貯水タンク（１Ａ）に注入されてもよい。ポール（６）をさらに一行程に移動したときに、二重給水の給水弁１０Ａを閉じることになる。すなわち、ポール（６）のポール前端部（６２）がパッキン（４）に貫通した抜き孔（４７）を塞ぐことができるまで移動したとき、供給された水はポール（６）のポール後端部（６４）の凹溝ベントから孔（４６）を通過して通気溝孔（５４）に至ってから空気室（５７）に流れ込む。給水された水はパッキン（４）の変形端を続いて水圧で拡張させており、それが原因で内環部（４３）又は中環部（４１）の少なくとも１つの箇所が給水口（３３）を塞ぐことができるようになる。
【００１１】
図３及び図４を再び参照する。図３は本発明における二重給水の給水弁１０Ａの開状態及び第１の昇降機構１０Ｂを示す。図４は本発明における二重給水の給水弁１０Ａの閉状態及び第１の昇降機構１０Ｂを示す。中でも、第１の昇降機構（１０Ｂ）はレバー（８）、アーム（９）、フロートブロック（１０）及びフロートカップ（１１０）を備える。前記レバー（８）に、支点とした枢着ピン（８１）が弁カバー（５）の枢着端（５１）と枢着されている。また、枢着ピン（８１）の前端位置は作用点であるヘッド端であると共に当接面（８２）が設けられる。当接面（８２）はポール（６）の当接端（６５）に当接されている。枢着ピン（８１）の後端の延長部分では末端に力点であるスリーブ孔（８３）が設けられる。前記アーム（９）は、そのヘッド端下の周面にレバー（８）のスリーブ孔（８３）と係止されるスリーブリング（９１）が設けられる。スリーブリング（９１）の下に外部アーム（９２）が設けられる。前記フロートブロック（１０）はフローターであり、それに外部アーム（９２）に螺設するように内部アーム（１０１）が設けられる。前記フロートカップ（１１０）はフロートブロック（１０）を内設する上向き開口する容器である。かつ、フロートカップ（１１０）の側縁部に管口（１１１）が二重給水の弁体（７）の管周面（７１）における予定位置の周りを囲むように取り付けられる管部が縁設されている。的（フロートカップ１１０を固定するように強固に取り付けられてもよい）。フロートカップ（１１０）の貯水が排出されてその水位を下降させたとき、フロートブロック（１０）もそれに従い沈んでいく。それと連動してフロートブロック（１０）に螺設されたアーム（９）が押し下げられており、そして、アーム（９）におけるスリーブリング（９１）がレバー（８）の末端のスリーブ孔（８３）に係止されているため、レバーの末端も共に低く押されると共に、枢着ピン（８１）の前端の当接面（８２）がポール（６）の当接端（６５）を高く引き上げて、結果として、ポール（６）の凹槽部（６３）が抜き孔（４７）の出口端に移動され、ポール（６）を開け工程に移動させることができる。即ち、凹槽部（６３）が抜き孔（４７）の出口端に移動されたとき、その段差が隙間を形成してパッキン（４）の変形端を弛んで給水口（３３）を開けるように圧力を解放する。つまり、フロートブロック（１０）が下方へ沈んだとき給水元からの給水を開けることができる。一方、フロートカップ（１１０）の貯水の水位が高くなる場合、フロートブロック（１０）も伴い浮き上っていく。それと連動して、フロートブロック（１０）に螺設されたアーム（９）が上方へ押されることになり、そして、アーム（９）におけるスリーブリング（９１）がレバー（８）の末端におけるスリーブ孔（８３）に係止されているため、レバー（８）の末端も共に高く引き上げられると共に、枢着ピン（８１）の前端の当接面（８２）がポール（６）の当接端（６５）を低く押し下げて、ポール（６）が閉工程に移動させることができる。つまり、ポール（６）のポール前端部（６２）がパッキン（４）の内環部（４３）の抜き孔（４７）を塞ぐことができる場合、給水口（３３）のから供給された水はポール（６）のポール後端部（６４）の凹溝ベントを介して通し孔（４６）に入って、空気室（５７）に流れ込んで、空気室（５７）に続いて流れ込んだ給水はパッキン（４）の変形端を加圧してそれを内環部（４３）又は中環部（４１）における少なくとも１つの箇所により給水路（３）の給水口（３３）を塞ぐことができるように拡張させる。即ち、フロートブロック（１０）が浮き上がると給水元からの給水を遮水することができる。上述は本発明における二重給水の給水弁（１０Ａ）及び第１の昇降機構（１０Ｂ）であるが、それは１つの実施形態に過ぎなく、本発明において、広く使用される単一給水の給水弁（９Ａ）または二重給水の給水弁（１０Ａ）といった給水弁及び昇降機構の通則を定義している。つまり、フロートブロック（１０）が浮き上がったときレバー（８）と連動してパッキン（４）の変形端が給水口（３３）を遮水することができる。また、フロートブロック（１０）が沈んだときに、レバー（８）と連動してパッキン（４）の変形端が給水口（３３）の給水を再開するように回復させることができる。
【００１２】
本発明の図３、図４及び図５を参照する。中でも、図５は本発明におけるピストン孔直管サブタンクの動作を示す模式図である。本発明の図５における二重給水の給水弁１０Ａは本発明図３及び図４における二重給水の給水弁１０Ａであり、それにジャケット管１、ウォーターブロック２、給水路３、パッキン４、弁カバー５、ポール６及び二重給水の弁体７が組み合わされている。前記給水路３の給水口（３３）は給水元と連通されており、水を溝孔（３４）から貫通孔（１４）を通過して貯水タンク（１Ａ）に注入するように給水することができる。中でも、ジャケット管１にある貫通孔１４は給水弁１０Ａに対して１つの給水システムである。一方、給水口（３３）から水を溝孔（３４）に供給し弁体（７）の給水管（７４）を介して送水管（１２０）によりサブタンク（１３０）に送ることもできる。かつ、サブタンク（１３０）のタンク底面（１３１）にピストン孔（１３２）が設けられ、それと対応するようにピストン（１４０）のピストンポール（１４１）が前記ピストン孔（１３２）に挿設されている。また、ピストンポール（１４１）のピン外円周はピストン孔（１３２）よりも小さく形成されている。前記ピストンポール（１４１）にピストン孔（１３２）よりも大きく形成されるピストン面（１４２）と連接されており、ピストンポール（１４１）が往復自由にピストン孔（１３２）に移動し得ると共に、ピストン面（１４２）により前記ピストン孔（１３２）を開けたり、閉じたりすることができる。かつ、ピストン孔直管サブタンク（１３０）内にフロートカップ（１１０）と連通する接続管が設けられる。接続管は直管（１３３）である。ピストン孔直管サブタンク（１３０）に供給された水の水位が前記直管口よりも高くなったとき、水は直管口からフロートカップ（１１０）に流れ込む。フロートカップ（１１０）における貯水の水位が高くなってフロートブロック（１０）をフロートブロック（１０）の頂端がピストン（１４０）を押し出すように浮き上げたとき、ピストン孔直管サブタンク（１３０）の貯水はピストン孔（１３２）とピストンポール（１４１）との間にある隙間によりフロートカップ（１１０）に流れ込んでピストン孔直管サブタンク（１３０）に残した貯水を空にする。
【００１３】
本発明の図３、図４及び図６を参照する。中でも、図６は本発明におけるピストン孔付きのサイフォン管サブタンクの動作を示す模式図である。本発明の図６における二重給水の給水弁１０Ａは本発明図３及び図４における二重給水の給水弁１０Ａであり、それにジャケット管１、ウォーターブロック２、給水路３、パッキン４、弁カバー５、ポール６及び二重給水の弁体７が組合されている。前記給水路３の給水口（３３）が給水元と連通されており、水を溝孔（３４）から貫通孔（１４）を通過して貯水タンク（１Ａ）に注入するように給水することができる。中でも、ジャケット管１にある貫通孔１４は給水弁１０Ａに対して１つの給水システムである。一方、給水口（３３）からは水を溝孔３４に供給して弁体（７）の給水管（７４）を介して送水管（１２０）によりサブタンク（１３０ａ）まで送るように給水することもできる。かつ、サブタンク（１３０ａ）のタンク底面（１３１ａ）にピストン孔（１３２ａ）が設けられ、それと対応するようにピストン（１４０）のピストンポール（１４１）が前記ピストン孔（１３２ａ）に挿設されている。また、ピストンポール（１４１）のピン外円周はピストン孔（１３２ａ）よりも小さく形成されている。前記ピストンポール（１４１）にピストン孔（１３２ａ）よりも大きく形成されるピストン面（１４２）と連接されており、ピストンポール（１４１）が往復自由にピストン孔（１３２ａ）に移動し得ると共に、ピストン面（１４２）により前記ピストン孔（１３２ａ）を開けたり、閉じたりすることができる。かつ、ピストン孔サイフォン管サブタンク（１３０ａ）内にフロートカップ（１１０）と連通する接続管が設けられる。接続管はサイフォン曲管（１３３ａ）である。ピストン孔サイフォン管サブタンク（１３０ａ）に供給された水の水位が前記サイフォン曲管（１３３ａ）の湾曲トップよりも高くなったとき、水はサイフォン曲管（１３３ａ）からフロートカップ（１１０）に流れ込む。フロートカップ（１１０）における貯水の水位が高くなってフロートブロック（１０）をフロートブロック（１０）の頂端がピストン（１４０）を押し出すように浮き上げたとき、ピストン孔サイフォン管サブタンク（１３０ａ）の貯水はピストン孔（１３２ａ）とピストンポール（１４１）との間にある隙間によりフロートカップ（１１０）に流れ込んでピストン孔サイフォン管サブタンク（１３０ａ）に残した貯水を空にする。
【００１４】
本発明の図３、図４及び図７を参照する。中でも、図７は本発明における直接に給水されるフロートカップの動作を示す模式図である。図７における二重給水の給水弁１０Ａは本発明の図３及び図４における二重給水の給水弁１０Ａであり、それにジャケット管１、ウォーターブロック２、給水路３、パッキン４、弁カバー５、ポール６及び二重給水の弁体７が組み合わされている。前記給水路３及び給水口（３３）は給水元と連通しており、水を溝孔３４に供給し溝孔（３４）から貫通孔（１４）を通過して貯水タンク（１Ａ）に注入することができる。中でも、ジャケット管１にある貫通孔１４は二重給水の給水弁１０Ａに対して１つの給水システムである。一方、給水口（３３）から水を溝孔３４に供給して弁体（７）の給水管（７４）を介して送水管（１２０）により直接にフロートカップ（１１０）送ってフロートブロック（１０）を浮き上げることもできる。
【００１５】
本発明の図５を図８Ａに合わせて参照する。図８Ａは本発明における密閉型ドレン（１５０）を示す。前記密閉型ドレン（１５０）において、溝孔タンク孔（１Ｃ）に係止する固定端（１５１）が前記密閉型ドレン（１５０）の外縁に設けられる。前記密閉型ドレン（１５０）の内縁に、前記密閉型ドレン（１５０）の側縁に沿って設けられるサイフォン外管（１５３）と連通するドレン排水口（１５２）が設けられると共に、サイフォン外管（１５３）の内部からその密閉されたサイフォン外管端面（１５５）に伸び出してフロートカップ（１１０）と連通するジョイントパイプ（１５４）が設けられる。ドレン排水口（１５２）が排水すると、その排水によるサイホン作用で本発明の図５におけるフロートカップ（１１０）の貯水は排水されるようになる。そして、本発明の図６を本発明図８Ｂと合わせて参照する。中でも、図８Ｂは本発明におけるフローティングプラグドレン（１５０ａ）を示す。溝孔タンク孔（１Ｃ）に係止する固定端（１５１ａ）が該ドレン（１５０ａ）の外縁に設けられる。溝孔タンク孔（１Ｃ）は貯水タンク（１Ａ）に設けられ、ドレン（１５０ａ）を係止して位置付けるための抜き孔である。ドレン（１５０ａ）の内縁に、ドレン（１５０ａ）の側縁に沿って設けられるサイフォン外管（１５３ａ）と連通するドレン排水口（１５２ａ）が設けられると共に、サイフォン外管（１５３ａ）の内部からサイフォン外管端面（１５５ａ）に伸び出して本発明の図６におけるフロートカップ（１１０）と連通するジョイントパイプ（１５４ａ）が設けられる。ドレン排水口（１５２ａ）が排水すると、排水によるサイホン作用は本発明の図６のフロートカップ（１１０）における貯水が排水されるようになる。中でも、サイフォン外管端面（１５５ａ）に抜き孔（１５６ａ）が設けられる。該抜き孔（１５６ａ）に該抜き孔（１５６ａ）と対応するようにフローティングプラグ（１６０）の複数のリブ（１６１）が穿設されている。該リブ（１６１）のヘッド端に、フローティングプラグ面（１６２）が連接されている。フローティングプラグ面（１６２）は抜き孔（１５６ａ）よりも大きく形成され、摺動部（１６３）と連接されると共に、末端に保持フックが設けられる。そして摺動部（１６３）を摺動可能に抜き孔（１５６ａ）に設けて、フローティングプラグ面（１６２）とリブ（１６１）との間に形成される隙間（１６４）により脱落せずに抜き孔（１５６ａ）を開閉することができる、また、フローティングプラグ（１６０）はフローターであるため、浮力で浮上がることができる。貯水の水位が抜き孔（１５６ａ）よりも高い場合、該フローティングプラグ（１６０）は浮き上げられて、貯水を抜き孔（１５６ａ）から貯水タンク（１Ａ）の外部に流れ出すように抜き孔（１５６ａ）を開けることになる。直接に給水されるフロートカップの動作を示す模式図である本発明の図７を参照する。前記二重給水の給水弁（１０Ａ）は貫通孔１４により給水を貯水タンク（１Ａ）に輸入する。前記貯水タンク（１Ａ）の貯水の水位はフロートカップ（１１０）を超えるときにフロートカップ（１１０）に増加した水はフロートブロック（１０）を浮き上げることができる。また、二重給水の給水弁（１０Ａ）の給水管７４は給水元と連通している。給水を送水管（１２０）から直接にフロートカップ（１１０）に供給してフロートカップ（１１０）に給水された水がフロートブロック（１０）を予定の位置に浮きあけることができる。貯水タンク（１Ａ）に水漏れが発生したときでも送水管（１２０）により直接にフロートカップ（１１０）に給水して、給水先の給水を遮水するようにフロートブロック（１０）を予定の位置に浮き上げることができる。照本発明図１０及及び図８Ｃを参照する。図８Ｃは本発明におけるフロートカバードレン（１５０ｂ）を示す。前記ドレン（１５０ｂ）の外縁に係止する溝孔タンク孔（１Ｃ）固定端（１５１ｂ）が設けられ、その内縁に、その側縁に沿って設けられるサイフォン外管（１５３ｂ）と連通する排水口（１５２ｂ）が延設されていると共に、少なくとも１つのジョイントパイプ（１５４ｂ）がサイフォン外管（１５３ｂ）からサイフォン外管端面（１５５ｂ）に伸び出して本発明の図１０におけるフロートカップ（１１０）及びピストンなしのサブタンク（１３０ｂ）と連通する。ドレン排水口（１５２ｂ）が排水するとき、その排水によるサイホン作用により本発明図１０におけるフロートカップ（１１０）及びピストン孔なしのサブタンク（１３０ｂ）における貯水を排水するようになる。中でも、サイフォン外管端面（１５５ｂ）にドレン貫通孔（１５６ｂ）が設けられている。該ドレン貫通孔（１５６ｂ）の上に枢着端（１７１）を有するフローターであるフロートカバー（１７０）は、フロートカバー（１７０）がそのフロートカバー面（１７２）により前記ドレン貫通孔（１５６ｂ）を開閉するように、サイフォン外管端面（１５５ｂ）に設けられる枢着ピン（１５７ｂ）に枢着している。貯水タンク（１Ａ）における貯水の水位が前記ドレン貫通孔（１５６ｂ）を超えると、前記ドレン貫通孔（１５６ｂ）はフロートカバー（１７０）の浮上が原因で開けられて、オーバーフローの機能として役立っている。
【００１６】
図８Ａにおける本発明に係る密閉型ドレン（１５０）、図１０（Ｂ）における本発明に係るフローティングプラグドレン（１５０ａ）及び図１０（Ｃ）における本発明に係るフロートカバードレン（１５０ｂ）を再び参照する。それらのそれぞれのジョイントパイプ（１５４）、（１５４ａ）、及び（１５４ｂ）はフロートカップ（１１０）またはピストン孔なしのサブタンク（１３０ｂ）と連通しており、フロートカップ（１１０）またはピストン孔なしのサブタンク（１３０ｂの貯水をドレン排水口（１５２）、（１５２ａ）、及び（１５２ｂ）が排水する時と共に排水することができる。
【００１７】
図９を参照する。図９は本発明に係る第１の実施形態である。それに示すように、二重給水の弁体（７）の給水管（７４）による給水は送水管（１２０）からフロートカップ（１１０）に送り込まれて、フロートカップ（１１０）における貯水の浮力でフロートブロック（１０）が浮き上げられる。図９において、フロートカバードレン（１５０ｂ）が貯水タンク（１Ａ）内に設けられており、かつ、フロートカップ（１１０）はフロートカバードレン（１５０ｂ）におけるジョイントパイプ（１５４ｂ）によりサイフォン外管（１５３ｂ）と連接されている。かつ、フロートカバードレン（１５０ｂ）にドレン排水口（１５２ｂ）が設けられており、ドレン排水口（１５２ｂ）により貯水タンク（１Ａ）の貯水を便器に排水すると共にサイホン作用を発生することができる。前記ドレン排水口（１５２ｂ）はサイフォン外管（１５３ｂ）と連通して、ドレン排水口（１５２ｂ）が排水する時にフロートカップ（１１０）内の貯水を共に貯水タンク（１Ａ）から排出することができる。フロートカップ（１１０）の貯水が排出した後、フロートブロック（１０）を沈ませて給水管（７４）の給水を再開させる。ドレン排水口（１５２ｂ）に排水口カバー（１８０）が設けられ、排水口カバー（１８０）の末端にある枢接構成（１８１）によりタンクレバー（１９０）に連接されるロープ（１９１）との協働に合わせて、ドレン排水口（１５２ｂ）を開閉することができる。図１０を参照する。図１０は本発明に係る他の実施形態を示す。図１０において、フロートカバードレン（１５０ｂ）は固定端（１５１ｂ）により貯水タンク（１Ａ）の貯水タンク孔（１Ｃ）に係止されている。また、図１０におけるフロートカップ（１１０）はジョイントパイプ（１５４ｂ）によりフロートカバードレン（１５０ｂ）におけるサイフォン外管（１５３ｂ）に連接されており、かつ、フロートカバードレン（１５０ｂ）にドレン排水口（１５２ｂ）が設けられている。それにより貯水タンク（１Ａ）の貯水を便器に排出すると共にサイホン作用を発生することができる。該ドレン排水口（１５２ｂ）はサイフォン外管（１５３ｂ）と連通しており、ドレン排水口（１５２ｂ）が排水する時に、フロートカップ（１１０）内の貯水を共に貯水タンク（１Ａ）から排出することができる。フロートカップ（１１０）の貯水が排出された後、フロートブロック（１０）を沈ませて給水管（７４）の給水を再開させる。該ドレン排水口（１５２ｂ）に排水口カバー（１８０）が設けられており、排水口カバー（１８０）の末端にある枢接構成（１８１）によりタンクレバー（１９０）と連接されるロープ（１９１）の協働と合わせてドレン排水口（１５２ｂ）を開閉することができる。図１０におけるピストン孔なしのサブタンク（１３０ｂ）にフロートカップ（１１０）と連接されるサイフォン曲管（１３３ｂ）が設けられている。送水管（１２０）による給水がピストン孔なしのサブタンク（１３０ｂ）に送り込まれ、貯水の水位が前記サイフォン曲管（１３３ｂ）の湾曲トップよりも高くなるとピストン孔なしのサブタンク（１３０ｂ）の貯水がサイフォン曲管（１３３ｂ）からフロートカップ（１１０）流れ込まれて、フロートカップ（１１０）におけるフロートブロック１０を浮き上げることになる。ピストン孔なしのサブタンク（１３０ｂ）はジョイントパイプ（１５４ｂ）によりフロートカバードレン（１５０ｂ）に位置されるサイフォン外管（１５３ｂ）に連接される。フロートカバードレン（１５０ｂ）にドレン排水口（１５２ｂ）が設けられている。それにより貯水タンク（１Ａ）の貯水をトイレに排出すると共にサイホン作用を発生することができる。前記ドレン排水口（１５２ｂ）はサイフォン外管（１５３ｂ）と連接される。該ドレン排水口（１５２ｂ）が排水する時に、ピストン孔なしのサブタンク（１３０ｂ）内に残った貯水を共に貯水タンク（１Ａ）から排出することができる。
【符号の説明】
【００１８】
１      ジャケット管
２      ウォーターブロック
３      給水路
４      パッキン
５      弁カバー
６      ポール
７      二重供給弁体
８      レバー
９      アーム
１０      フロートブロック
１１      基体管
１２      内管
１３      外管
１４      貫通孔
２１      軸方向貫通孔
２２      分水孔
３１      盤部
３２      管部
３３      排水口
３４      溝孔
４１      中環部
４２      第１の変形端
４３      内環部
４４      第２の変形端
４５      外環部
４６      通し孔
４７      抜き孔
５１      枢着端
５２      突縁部
５３      リング溝
５４      通気溝孔
５５      環
５６      環状孔
５７      空気室
５８      空気接続口
６１      ポール頭部
６２      ポール前端部
６３      ポール中央部
６４      ポール後端部  
６５      当接端
７１      管周面
７２      管内孔
７３      係止溝
７４      給水管
８１      枢着ピン
８２      当接面
８３      スリーブ孔
９１      スリーブリング
９２      外部アーム
１０１      内部アーム
１１０      フロートカップ
１１１      管孔
１２０      送水管
１３０      サブタンク
１３２      ピストン孔
１３３      直管
１４０      ピストン
１４１      ピストンポール
１４２      ピストン面
１５０      密閉型ドレン
１５１、１５１ｂ      固定端
１５２、１５２ｂ      ドレン排水口
１５３      サイフォン外管
１５４      ジョイントパイプ
１５５      サイフォン外管端面
１６０      フローティングプラグ
１６１      リブ
１６２      フローティングプラグ面
１６３      摺動部
１７０      フロートカバー
１７１      枢着端
１７２      フロートカバー面
１８０      排水口カバー
１８１      枢接構成
１９０      タンクレバー
１９１      ロープ
１１１１      摺動柱
１１１２      ピストン円盤
１１１３      盤面
１１０ａ      フロートカップ
１１２ａ      フロートカップの底面
１１３ａ      底部孔
１３０ａ      サブタンク
１３０ｂ      ピストンなしのサブタンク
１３１、１３１ａ      タンク底面
１３２ａ      ピストン孔
１３３ａ      サイフォン曲管
１３３ｂ      サイフォン曲管
１５０ａ      フローティングプラグドレン
１５０ｂ      フロートカバードレン
１５１ａ      固定端
１５２ａ      ドレン排水口
１５３ａ、１５３ｂ      サイフォン外管
１５４ａ、１５４ｂ      ジョイントパイプ
１５５ａ、１５５ｂ      サイフォン外管端面
１５６ａ      抜き孔
１５６ｂ      ドレン貫通孔
１５７ｂ      枢着ピン
１６４      隙間
１Ａ      貯水タンク
１Ｂ      貯水タンク孔
１Ｃ      タンク孔
７１ａ      管周面
７２ａ      管内孔
７３ａ      係止溝
７ａ      単一給水弁体
９Ａ      単一給水の給水弁
１０Ａ      二重給水の給水弁
１０Ｂ      昇降機構
【図１】
2018188953.tif 000003
【図２】
2018188953.tif 000004
【図３】
2018188953.tif 000005
【図４】
2018188953.tif 000006
【図５】
2018188953.tif 000007
【図６】
2018188953.tif 000008
【図７】
2018188953.tif 000009
【図８Ａ】
2018188953.tif 000010
【図８Ｂ】
2018188953.tif 000011
【図８Ｃ】
2018188953.tif 000012
【図９】
2018188953.tif 000013
【図１０】
2018188953.tif 000014
【図１１Ａ】
2018188953.tif 000015
【図１１Ｂ】
2018188953.tif 000016
【図１２】
2018188953.tif 000017